(57)【特許請求の範囲】
【請求項１】
地中に水平方向に並べて埋設された複数のタンクと、タンク同士を連結する管とを備えたものにおいて、
前記各タンクが鉛直方向に立てられたプラスチック製の有底内筒と、各内筒の外周に成形され、セメントを主成分とする外筒とからなり、
前記複数のタンクのうち一部を長期貯留用、残部を短期貯留用とし、長期貯留用の少なくとも第一のタンク及び短期貯留用の少なくとも第一のタンクは、各々外部に連なる入出口を上部に有し、
長期貯留用の少なくとも一つのタンクと短期貯留用の少なくとも一つのタンクは、前記入出口よりも低い上部において互いに連通しているとともに、
長期貯留用の残りのタンク同士、並びに短期貯留用の残りのタンク同士は、下部において互いに連通していることを特徴とする雨水貯留装置。
【請求項２】
短期貯留用の前記第一のタンクの底は、他のタンクよりも深い請求項１に記載の装置。
【発明の詳細な説明】
【技術分野】
【０００１】
この発明は、豪雨時に地上に溢れ出た水を一時的に貯留して、家屋や道路への浸水を防止する雨水貯留装置に関する。
【背景技術】
【０００２】
雨水貯留施設としては、従来より長い貯留管を水平に近い勾配をもたせて地中に埋設し、河川に放流できるようにしたもの（非特許文献１）や、郊外に設けられた調整池などが知られている。このうち長い貯留管は、埋設工事の際、これと同じ平面積の地面を掘り起こさなければならないので、著しいコストがかかるうえ、ガス管、上水道管、送電線などを切断するリスクを伴う。また、調整池は、かなり広い遊休地を必要とし、限界がある。
【０００３】
そこで近年、多数のタンクを地中に水平方向に並べて埋設し、タンク同士を連結した貯留装置が提案されている（特許文献１）。タンクは、コンクリート製で、縦型シールド工法により打設された後、横穴が掘削されて隣り合うタンク同士が連結管にて連結される。
【先行技術文献】
【特許文献】
【０００４】
【特許文献１】特開２００８−１２７８７０
【非特許文献】
【０００５】
【非特許文献１】川崎市上下水道局＞下水道事業のページ＞下水道の基礎知識＞雨水貯留管の整備、［ｏｎｌｉｎｅ」、［平成２３年５月１７日検索］、インターネット＜http://www.city.kawasaki.jp/53/53kense/home/usui_choryuukan/usui_choryuukan.htm＞
【発明の概要】
【発明が解決しようとする課題】
【０００６】
しかし、多数のコンクリート製のタンクを運ぶのは危険であるし、運搬コストも相当かかる。
それ故、この発明の第一の課題は、小さい平面積の地面を掘り起こすだけで足り、且つ低コストで施工可能な雨水貯留装置を提供することにある。第二の課題は、防火用水などの用水貯留施設としても適用可能な装置を提供することにある。
【課題を解決するための手段】
【０００７】
第一の課題を解決するために、この発明の雨水貯留装置は、
地中に水平方向に並べて埋設された複数のタンクと、タンク同士を連結する管とを備えたものにおいて、
前記各タンクが鉛直方向に立てられたプラスチック製の有底内筒と、各内筒の外周に成形され、セメントを主成分とする外筒とからなることを特徴とする。
【０００８】
この発明の装置によれば、各タンクが鉛直方向に立てられて互いに近接して埋設されているので、同一容積で水平に埋設された貯留管に比べて著しく小さい平面積の地面を掘り起こすだけで足りる。また、内筒は軽く、外筒は現場で成形されるので、いずれも運搬が容易で安全であり、運搬コストも低い。
【０００９】
第二の課題を解決するために、この発明の雨水貯留装置は、
前記複数のタンクのうち一部を長期貯留用、残部を短期貯留用とし、長期貯留用の少なくとも第一のタンク及び短期貯留用の少なくとも第一のタンクは、各々外部に連なる入出口を上部に有し、
長期貯留用の少なくとも一つのタンクと短期貯留用の少なくとも一つのタンクは、前記入出口よりも低い上部において互いに連通しているとともに、
長期貯留用の残りのタンク同士、並びに短期貯留用の残りのタンク同士は、下部において互いに連通している、ことを特徴とする。
【００１０】
この構成によれば、常時は短期貯留用の第一のタンクの入出口を閉じておき、長期貯留用の第一のタンクの入出口のみ地表、側溝、あるいは既設の雨水管などに開放しておく。すると豪雨時には先ず長期貯留用の第一のタンクに雨水が流入する。そして、長期貯留用のタンク群と短期貯留用のタンク群とは、各々から選ばれた少なくとも一つのタンク同士が上部で連通しているだけであるのに対して、長期貯留用のタンク同士は下部で連通しているので、長期貯留用のタンク群が雨水で満たされる。その後、上部の連結管を介して短期貯留用のタンク群に雨水が流れ込む。
【００１１】
雨が止み、河川の水位が下がった適当な日に、短期貯留用の第一のタンクの入出口より溜まった雨水を汲んで排出する。長期貯留用のタンク群と短期貯留用のタンク群とは、各々から選ばれた少なくとも一つのタンク同士が上部で連通しているだけであるから、短期貯留用の第一のタンクの入出口からくみ出す限り、全部汲んでも長期貯留用のタンク群には雨水が残る。
【００１２】
従って、火災発生時や酷暑日などには、長期貯留用のタンク群から放水または散水することにより、防火または避暑を実行することができる。尚、短期貯留用の前記第一のタンクの底は、他のタンクよりも深いと好ましい。これにより、短期貯留用のタンク群の雨水をこのタンクを介して全て排出することができるからである。
【発明の効果】
【００１３】
この発明の雨水貯留装置は、設置にあたって小さい平面積の地面を掘り起こすだけで足りるので、低コストで施工可能であるうえ、ガス管、上水道管、送電線などを切断するリスクを極めて減らすこともできる。また、防火用水などの用水貯留施設としても有用である。
【図面の簡単な説明】
【００１４】
【図１】実施形態に係る雨水貯留装置を示す水平方向断面図である。
【図２】（ａ）は図１におけるＡＡ’断面図、（ｂ）は同じくＢＢ’断面図である。
【図３】実施形態に係る雨水貯留装置の施工方法を工程順に示す鉛直方向断面図である。
【発明を実施するための形態】
【００１５】
この発明の実施形態に係る雨水貯留装置を図面とともに説明する。雨水貯留装置１は、図１及び図２に示すように、地中に水平方向の８行×４列に並べて埋設された３２本のタンクＴと、タンクＴ同士を連結する管Ｐとを備えている。以下、タンク及び管をそれぞれ総称するときは単に符号Ｔ及びＰを用いることとし、個別のタンク及び管を指すときはＴｍｎ（ｍは行番号、ｎは列番号）及びＰｓ（ｓは正の整数）を用いることとする。寸法、個数、材質等は、いずれも例示であって、これに限定されることはない。また、タンクＴの並べ方は、縦横に代えて六方最密充填構造であってもよい。
【００１６】
各タンクＴは、鉛直方向に立てられた外径２ｍ、深さ７ｍ程度の水平断面円形の繊維強化ＰＥＴ製の有底内筒２と、各内筒２の外周に２５ｃｍ程度の肉厚となるように成形されたモルタル製外筒３とからなる。３２本のタンクＴのうち、一方の端の行に位置する４本のタンクＴ１１〜Ｔ１４が防火・避暑対策のための長期貯留用、その他２８本のタンクＴ２１〜Ｔ８４が豪雨時のための短期貯留用とされる。
【００１７】
長期貯留用のタンク群のうちの一つのタンクＴ１１及びその隣に位置する短期貯留用の一つのタンクＴ２１は、各々地表に連なり蓋にて開閉可能な入出口４を上端面に有する。入出口４の鉛直方向長さは、通常はタンクＴの上端面がガス管、上水道管、送電線などの配管・配線よりも深い位置になるように設定され、例えば約１ｍである。タンクＴ１１の入出口４は、図略の側溝や既設の雨水管に連なっていても良い。その他のタンクの上端面は全て閉塞されている。
【００１８】
タンクＴ１１とタンクＴ２１とは、入出口４よりもわずかに低い上部において管Ｐ１を介して互いに連通している。また、タンクＴ１２とタンクＴ２２とは、管Ｐ１よりも更に低い上部において管Ｐ２を介して互いに連通している。そして、タンクＴ２１からタンクＴ８１までは隣同士が底に近い下部において管Ｐ３、Ｐ３・・・Ｐ３にて互いに連通している。更に長期貯留用の各タンクＴは、隣同士が底に近い下部において管Ｐ４にて互いに連通し、短期貯留用の各行のタンクＴは、タンクＴｍ１を起点としてタンクＴｍ４に至るまで隣同士が底に近い下部において管Ｐ５にて互いに連通している。管Ｐ１〜Ｐ５は、いずれも外径０．８ｍで、塩化ビニル製である。尚、タンクＴ２１の底は、他のタンクよりも０．５ｍ深い。
【００１９】
各タンクＴを埋設する方法を図３とともに説明する。先ず、図３（ａ）に示すようにタンクＴの外径と同等の外径を有する鋼製ケーシング５を地中に揺動しながら圧入し、その鋼製ケーシング５内を掘削する。必要に応じて後続のケーシングを継ぎ足して圧入・掘削を続け、規定の深さまで下げた後、図３（ｂ）に示すように基礎コンクリート６を打設し、その上に内筒２を図略のボルトで固定する。図３（ｃ）に示すように内筒２に水Ｗを注入した状態で内筒２とケーシング５との間にモルタル７を充填しながら、ケーシング５を引き抜く。モルタルが硬化すると外筒３となり、図３（ｄ）に示すように水Ｗを抜き上端面を閉塞して完了する。管Ｐｓは、水抜き後、上端面閉塞前にタンクＴ側面に孔を開けて挿入固定される。
【００２０】
この装置１によれば、各タンクＴが鉛直方向に立てられて互いに近接して水平方向に並べて埋設されているので、同一容積で水平に埋設された貯留管に比べて著しく小さい平面積の地面を掘り起こすだけで足りる。即ち、タンクＴと同形同大の貯留管を水平に埋設すると、１本当たり２ｍ×７ｍ＝１４ｍ2の平面積の地面を掘削しなければならないところ、この装置１の場合は１本当たり１ｍ×１ｍ×３．１４＝３．１４ｍ2の面積を掘削するだけで足りる。また、内筒２は軽く、外筒３は現場で成形されるので、いずれも運搬が容易である。従って、土木工事費は安い。
【００２１】
装置１を使用するときは、常時は短期貯留用のタンクＴ２１の入出口を閉じておき、長期貯留用のタンクＴ１１の入出口のみ開放しておく。すると豪雨時には先ずタンクＴ１１に雨水が流入する。長期貯留用のタンク群Ｔ１１〜Ｔ１４と短期貯留用のタンク群Ｔ２１〜Ｔ８４とは、タンクＴ１１とタンクＴ２１同士、及びタンクＴ１２とタンクＴ２２同士が上部で連通しているだけであるのに対して、長期貯留用のタンク同士Ｔ１１〜Ｔ１４は下部で連通しているので、先に長期貯留用のタンク群Ｔ１１〜Ｔ１４が雨水で満たされる。その後、上部の管Ｐ２を介してタンクＴ２２に雨水が流れ込む。タンクＴ２２と他の短期貯留用のタンク群Ｔ２１〜Ｔ８４とは下部で連通しているので、タンク群Ｔ２１〜Ｔ８４は、同じ水位を保ちながら満たされていく。
【００２２】
雨が止み、河川の水位が下がった適当な日に、タンクＴ２１の蓋を開けて入出口４より溜まった雨水を図略のポンプで汲んで排出する。ポンプは、タンクＴ２１の底に常設しておいて入出口４を介して外部電源と接続するようにしてもよいし、使用時に運んできても良い。タンクＴ２１の底は、短期貯留用の他のタンクの底よりも深いから、排出に伴って短期貯留用のタンク群Ｔ２１〜Ｔ８４の雨水は、全部タンクＴ２１に戻り、入出口４から排出される。
【００２３】
一方、長期貯留用のタンク群Ｔ１１〜Ｔ１４と短期貯留用のタンク群Ｔ２１〜Ｔ８４とは、タンクＴ１１とタンクＴ２１同士、及びタンクＴ１２とタンクＴ２２同士が上部で連通しているだけであるから、タンクＴ２１の入出口４からくみ出す限り、全部汲んでも長期貯留用のタンク群Ｔ１１〜Ｔ１４には管Ｐ２の高さまでの雨水が残る。従って、火災発生時や酷暑日などには、タンクＴ１１の入出口４から放水または散水することにより、防火または避暑を実行することができる。
【符号の説明】
【００２４】
１  雨水貯留装置
２  内筒
３  外筒
Ｔ  タンク
４  入出口
Ｐ  管
【図１】
0005704566.tif 000002
【図２】
0005704566.tif 000003
【図３】
0005704566.tif 000004